(57)【要約】      （修正有）【課題】手首や足首などの被巻付け部に巻き付ける際の操作が確実で、適正かつ正確なリング状に巻付け形態を確保するようにしたリストバンド、リストバンド連続体およびリストバンドの巻付け方法を提供する。【解決手段】従来バンド基材２の両端部の裏面と表面とを貼り合わせるのではなく最初に裏面同士を貼り合わせることに着目し、露出した粘着剤層３（第１の貼付け領域２２）を有する第１の巻付け領域６の裏面と第２の巻付け領域７の裏面とを、粘着剤層３の一部（第２の貼付け領域２３）を露出可能に残した状態で第１の貼合わせ位置ガイド１８、１９Ａおよび第２の貼合わせ位置ガイド１９を互いに合わせるように重ね合わせて貼り付けることにより被巻付け部に巻き掛けるように環状に形成可能とし、露出可能に一部残った粘着剤層３（第２の貼付け領域２３）を有する第１の巻付け領域６を第２の巻付け領域７の表面に貼り付け可能としていることを特徴とする。【選択図】図２
2020038386.tif 000002
【特許請求の範囲】
【請求項１】
合成紙で構成した帯状のバンド基材と、
前記バンド基材の裏面に形成された粘着剤層と、
エンボス加工面を備え、前記粘着剤層に仮着してこれを被覆可能な帯状の台紙と、を有し、前記台紙に前記バンド基材を仮着した状態で、前記エンボス加工面を被巻付け物に直接接触させて巻き付け可能なリストバンドであって、
前記リストバンドの一方端部側に位置し、前記台紙から長手方向外側に前記粘着剤層および前記バンド基材の一部を露出した第１の巻付け領域と、
前記リストバンドの他方端部側に位置し、前記第１の巻付け領域と反対の長手方向外側に前記バンド基材から前記台紙の一部を露出した第２の巻付け領域と、
を有する、リストバンド。
【請求項２】
合成紙で構成した帯状のバンド基材と、
前記バンド基材の裏面に形成された粘着剤層と、
透明材料で構成され、前記粘着剤層に仮着してこれを被覆可能な帯状の台紙と、を有し、前記台紙に前記バンド基材を仮着した状態で前記台紙を被巻付け物に直接接触させて巻き付け可能なリストバンドであって、
前記リストバンドの一方端部側に位置し、前記台紙から長手方向外側に前記粘着剤層および前記バンド基材の一部を露出した第１の巻付け領域と、
前記リストバンドの他方端部側に位置し、前記第１の巻付け領域と反対の長手方向外側に前記バンド基材から前記台紙の一部を露出した第２の巻付け領域と、
を有する、リストバンド。
【請求項３】
前記第１の巻付け領域と前記第２の巻付け領域の間に位置し、前記帯状の台紙に前記バンド基材を仮着している中央領域と、を有し、
前記中央領域の長手方向の長さは前記第１の巻付け領域および前記第２の巻付け領域よりも長い、
請求項１または２に記載のリストバンド。
【請求項４】
前記第１の巻付け領域には破断用切込み部が形成されている、請求項１ないし３のいずれかに記載のリストバンド。
【請求項５】
前記台紙には、位置検出用マークが形成されている請求項１ないし４のいずれかに記載のリストバンド。
【請求項６】
前記第２の巻付け領域である前記台紙の先端は山形状である、請求項１ないし５のいずれかに記載のリストバンド。
【請求項７】
前記台紙は透明材料から構成している、請求項１、３ないし６のいずれかに記載のリストバンド。
【請求項８】
前記第１の巻付け領域の前記粘着剤層によって前記第１の巻付け領域と前記第２の巻付け領域は互いに貼り合わされる、請求項１ないし７のいずれかに記載のリストバンド。
【発明の詳細な説明】
【技術分野】
【０００１】
本発明はバンド連続体に関するものである。
【背景技術】
【０００２】
従来から、短冊状のリストバンドとして、その帯状のバンド本体の裏面に粘着剤を塗布し、台紙を仮着しているものがある。
その使用にあたっては、台紙の一部をはがして粘着剤層を露出させ、手首などを一周するようにリング状にした上でバンド本体の両端部を貼り合わせる。すなわち、一方の端部における裏面側の粘着剤層を他方の端部における表面側に貼り付けることになる。
また、バンド本体の少なくとも一方の端部には、再使用防止用ないし不正防止用の切込み部を形成している。
【０００３】
しかしながら、細長い短冊状のリストバンドを、使用者によってそれぞれ異なる大きさの手首や足首に適正な位置に、適正な大きさ（直径）でリストバンドを巻き付ける操作が面倒で、とくに一人で巻き付ける際には、適正な貼合わせ形態を確保することが困難で、その作業性が低下するという問題がある。
また、リストバンド自体が細長いために、その両端部どうしを貼り合わせるときに、この両端部が互いにずれてしまいやすいという問題がある。
【０００４】
さらに、ラベル形態としたリストバンドの両端部を貼り合わせる際に、両端部を所定の長さにわたって互いに的確かつ確実に、また注意深く貼り付けないと、不正使用防止用にこの両端部に形成した切込み部がその貼合わせ部（重合わせ部）が位置せずに、その破断機能（不正使用防止機能）を十分に発揮することが困難であり、上述のように巻付け操作が面倒であると貼合わせ形態が適正ではないという自体が多く発生しやすいという問題もある。
【０００５】
なお、単葉のリストバンドを複数枚連続して帯状としたリストバンド連続体においては、その最端部から単葉のリストバンドを切り離すなどして、それぞれ実際の使用に供しているが、バンド基材の裏面側に台紙を裏打ち（仮着）した構成のリストバンドにおいては、単葉のリストバンドとしたのちに粘着剤層を露出させるために台紙の一部をバンド基材の裏面側から剥離する手間が必要であり、リストバンド連続体の状態から粘着剤層を露出させて実際に環状に形成するという、単葉のリストバンドを準備するまでの手間がかかるという問題がある。
【先行技術文献】
【特許文献】
【０００６】
【特許文献１】特開２００６−３９２０９号公報
【発明の概要】
【発明が解決しようとする課題】
【０００７】
【０００８】
【０００９】
【００１０】
本発明は、バンド連続体から単葉のバンドを分離すると、バンド基材から台紙がすでに剥離された構成となり、単葉のバンドをただちに環状に形成することができるバンド連続体を提供することを課題とする。
【課題を解決するための手段】
【００１１】
本発明のある態様によれば、帯状のバンド基材と、前記バンド基材の裏面に形成された粘着剤層と、前記粘着剤層に仮着してこれを被覆可能な帯状の台紙と、を有し、前記バンド基材は、一方端部側に形成された第１のバンド切離し線および他方端部側に形成された第２のバンド切離し線を有し、前記台紙は、一方端部側かつ前記第１のバンド切離し線よりも前記バンド基材の長手方向にずれた位置に形成された第１の台紙切離し線および他方端部側かつ前記第２のバンド切離し線よりも前記バンド基材の長手方向にずれた位置に形成された第２の台紙切離し線を有する、バンド連続体が提供される。
【００１２】
【００１３】
【００１４】
【００１５】
【００１６】
【００１７】
【００１８】
【００１９】
【００２０】
【００２１】
【００２２】
【００２３】
【００２４】
【００２５】
【００２６】
【００２７】
【００２８】
【００２９】
【発明の効果】
【００３０】
上記態様によれば、バンド連続体から単葉のバンドを分離すると、バンド基材から台紙がすでに剥離された構成となり、単葉のバンドをただちに環状に形成することができる。
【００３１】
【００３２】
【００３３】
【００３４】
【００３５】
【図面の簡単な説明】
【００３６】
【図１】本発明の第１の実施例によるリストバンド連続体１の説明図であって、図１（１）は、平面図、図１（２）は、裏面図、図１（３）は、断面図である。
【図２】同、第１の実施例によるリストバンド１Ａの説明図であって、図２（１）は、裏面図、図２（２）は、断面図である。
【図３】同、リストバンド連続体１から分離した単葉のリストバンド１Ａをリング状にして巻き付ける第一段階を示す斜視図である。
【図４】同、第１の巻付け領域６の裏面と第２の巻付け領域７の裏面とを貼り合わせた第１の貼合わせ工程を示す斜視図である。
【図５】同、第１の巻付け領域６の裏面と第２の巻付け領域７の表面を貼り合わせた第２の貼合わせ工程を示す断面図である。
【図６】本発明の第２の実施例によるリストバンド連続体３０の説明図であって、図６（１）は、平面図、図６（２）は、裏面図、図６（３）は、断面図である。
【図７】同、第２の実施例によるリストバンド３０Ａの説明図であって、図７（１）は、裏面図、図７（２）は、断面図である。
【図８】同、リストバンド連続体３０から分離した単葉のリストバンド３０Ａを巻き付ける第一段階を示す斜視図である。
【図９】同、第１の巻付け領域６の裏面と第２の巻付け領域７の裏面とを貼り合わせた第１の貼合わせ工程を示す斜視図である。
【図１０】同、第１の巻付け領域６の裏面と第２の巻付け領域７の表面を貼り合わせた第２の貼合わせ工程を示す断面図である。
【図１１】本発明の第３の実施例によるリストバンド連続体４０の説明図であって、図１１（１）は、平面図、図１１（２）は、裏面図、図１１（３）は、断面図である。
【図１２】同、第３の実施例によるリストバンド４０Ａの説明図であって、図１２（１）は、裏面図、図１２（２）は、断面図である。
【図１３】同、リストバンド連続体４０から分離した単葉のリストバンド４０Ａを巻き付ける第一段階を示す斜視図である。
【図１４】同、第１の巻付け領域６の裏面と第２の巻付け領域７の裏面とを貼り合わせる第１の貼合わせ工程を示す斜視図である。
【図１５】同、第１の巻付け領域６の裏面と第２の巻付け領域７の表面を貼り合わせた第２の貼合わせ工程を示す断面図である。
【図１６】本発明の第４の実施例によるリストバンド連続体５０の説明図であって、図１６（１）は、平面図、図１６（２）は、裏面図、図１６（３）は、断面図である。
【図１７】同、第４の実施例によるリストバンド５０Ａの説明図であって、図１７（１）は、裏面図、図１７（２）は、断面図である。
【図１８】同、リストバンド連続体５０から分離した単葉のリストバンド５０Ａを巻き付ける第一段階を示す斜視図である。
【図１９】同、第１の巻付け領域６の裏面と第２の巻付け領域７の裏面とを貼り合わせた第１の貼合わせ工程を示す斜視図である。
【図２０】同、第１の巻付け領域６の裏面と第２の巻付け領域７の表面を貼り合わせた第２の貼合わせ工程を示す断面図である。
【図２１】本発明の第５の実施例によるリストバンド連続体６０の説明図であって、図２１（１）は、平面図、図２１（２）は、裏面図、図２１（３）は、断面図である。
【発明を実施するための形態】
【００３７】
本発明は、帯状のバンド基材の両端部の裏面どうしを貼り合わせ、巻付け操作を二回に分けられるようにしたので、異なる大きさの被巻付け部にも簡単かつ確実にリング状に巻き付けることができるようにしたリストバンド、リストバンド連続体およびリストバンドの巻付け方法を実現した。
【実施例】
【００３８】
つぎに本発明の第１の実施例によるリストバンド、リストバンド連続体およびリストバンドの巻付け方法を図１ないし図５にもとづき説明する。
図１は、リストバンド連続体１の説明図であって、図１（１）は、平面図、図１（２）は、裏面図、図１（３）は、断面図、図２は、同、第１の実施例によるリストバンド１Ａの説明図であって、図２（１）は、裏面図、図２（２）は、断面図である。
リストバンド連続体１は、単葉のリストバンド１Ａの複数枚を連続して設けているもので、リストバンド連続体１（リストバンド１Ａ）は、とくに図１（３）に示すように、帯状のバンド基材２と、このバンド基材２の裏面の全面に形成した粘着剤層３と、この粘着剤層３に仮着してこれを被覆可能な帯状の台紙４と、を有する。
【００３９】
バンド基材２は、たとえばポリプロピレン（ＰＰ）、ポリスチレン（ＰＳ）、ポリエチレン（ＰＥ）などをベースとした合成紙であって、白色顔料を混入したり、その裏面に塗布したりして、不透明性、印字適性および平滑性などを加味したもので、耐候性、耐水性および印字性に優れている。
このバンド基材２は、とくに図１（１）に示すように、リストバンド１Ａの長さ方向ほぼ中央部に位置する中央領域５と、中央領域５の左右端部にそれぞれ位置し、中央領域５とともに手首や足首などの被巻付け部Ｗ（図４、図５）に巻き付け可能な第１の巻付け領域６および第２の巻付け領域７と、を有する。
中央領域５は、患者や入場者を特定するための特定情報をバーコードその他任意の文字や記号などにより印字可能であるとともに、必要ならば、より多くの情報を保持可能なＩＣチップ（図示せず）などを組み込み可能である。
【００４０】
ただし、中央領域５、第１の巻付け領域６および第２の巻付け領域７には、たとえば、その中央領域５に上記「特定情報」を印字可能としているとともに、第１の巻付け領域６には「広告情報」をあらかじめ印刷可能とする広告情報印刷欄８を設け、第２の巻付け領域７にはこのリストバンド１Ａの「使用方法（手首等への巻付け方法）」をあらかじめ印刷可能とする使用方法印刷欄９を設けておくこともできる。
なお、リストバンド１Ａの使用形態によっては、中央領域５、第１の巻付け領域６および第２の巻付け領域７への上記各情報の印字位置ないしはあらかじめの印刷位置などについて任意にこれを設計可能であり、たとえば、中央部に広告情報印刷欄８を設け、第１の巻付け領域６に特定情報を印字することもできるし、第２の巻付け領域７に広告情報印刷欄８を設けることができる。
とくに、第１の巻付け領域６の表面あるいは裏面の少なくともいずれか一方に、当該リストバンド１Ａないしはその提供者に関する広告情報をあらかじめ印刷可能とする広告情報印刷欄８を設けておけば、広告効果をより確実かつ効率的に得ることができる。たとえば、第１の巻付け領域６の表面に広告情報印刷欄８を設けた場合には、図４および図５において後述するように、第２の貼付け工程において、使用者（巻付け作業者）は第１の巻付け領域６の表面を必ず見ることになるので、広告情報を必ず見ることとなる。あるいは、第１の巻付け領域６の裏面（粘着剤層３の裏面あるいは台紙４の裏面）に広告情報印刷欄８を設けた場合には、図３および図４において後述するように、第１の貼付け工程において、使用者（巻付け作業者）は第１の巻付け領域６の裏面を必ず見ることになるので、広告情報を必ず見ることとなる。なお、第１の巻付け領域６の裏面に広告情報印刷欄８をあらかじめ設ける際には、この広告情報印刷欄８の広告情報を第１の貼合わせ位置マーク１８や点線状の第２の貼合わせ位置マーク１９Ａ（第１の貼合わせ位置ガイド）および第２の貼合わせ位置マーク１９（第２の貼合わせ位置ガイド）（図１（２）および図２（１）で後述）と組み合わせたデザインとすることもできる。
また、第２の巻付け領域７の使用方法印刷欄９の図１中右側（リストバンド連続体１の移送方向Ｒ（図１（１））の上流側）には、「貼付け範囲」（図４、図５で後述）などをあらかじめ印刷可能な貼付け範囲印刷欄１０を設けて、第２の貼付け領域２３（図４で後述）の望ましい最終貼付け範囲を示しておくこともできる。
【００４１】
バンド基材２においては、第１の巻付け領域６に破断用切込み部１１を形成している。破断用切込み部１１は、その切込み尖端部がリストバンド連続体１（リストバンド１Ａ）の上流側および下流側に向かう任意の形状のカットであって、第１の巻付け領域６および第２の巻付け領域７の貼合わせ状態からいずれかの方向に不正にはがそうとしたときに、第１の巻付け領域６あるいは第２の巻付け領域７の少なくとも一方が破断して原状への復帰が困難であるようにする。
もちろん、最終的には互いに貼り合わせることになる第１の巻付け領域６および第２の巻付け領域７の少なくともいずれか一方に破断用切込み部１１を形成しておくことができる。
【００４２】
なお、バンド基材２には、単葉のリストバンド１Ａを形成するための第１のバンド切離し線１２および第２のバンド切離し線１３を形成してある。
図示の例では、第１のバンド切離し線１２および第２のバンド切離し線１３として、それぞれのリストバンド１Ａの間にカス取り部を設けて、単葉のリストバンド１Ａに分離可能としてあるが、それぞれのリストバンド１Ａの間にミシン目ないしは切離し用のカット（ともに図示せず）を形成して、単葉のリストバンド１Ａに分離する構成とすることもできる。
【００４３】
粘着剤層３は、必要な強度の粘着度ないし接着度を有する任意のタイプのものであって、一般糊あるいは強粘着糊などが好ましい。
なお、第１の巻付け領域６において第１のバンド切離し線１２に接している粘着剤層３の幅方向縁部３Ａ（上流側の縁部、図１（３））を、非粘着性のインキなどを塗布することで不活性化することにより、この幅方向縁部からのバンド基材２および台紙４のはがし操作を容易にすることができる。
【００４４】
台紙４は、フィルム系の比較的薄い透明材料などからこれを構成し、必要な強度を有するとともに、その裏面側にエンボス加工面１４を形成して、人肌などに直接接触しても人肌との間に通気性を確保し、装着時の違和感がないようにしている。
この台紙４の裏面には、位置検出用マーク１５（図１（２））をあらかじめ印刷してあって、複数枚のリストバンド１Ａを連接した状態のリストバンド連続体１を所定のプリンター（図示せず）に装填して矢印のような移送方向Ｒ（図１（１））に移送して任意のセンサー（図示せず）によりこの位置検出用マーク１５を検出して、中央領域５における所定部位に上記特定情報などを印字可能としている。
【００４５】
台紙４は、バンド基材２における第１のバンド切離し線１２および第２のバンド切離し線１３とは異なる位置に形成した切離し用のカットなどによる第１の台紙切離し線１６および第２の台紙切離し線１７により、それぞれのリストバンド１Ａに分離可能としてある。
すなわち、とくに図２（２）に示すように、リストバンド連続体１から単葉のリストバンド１Ａを切り離した状態では、第２の巻付け領域７の台紙４は、バンド基材２からずれて第２の巻付け領域７の端部側において第１の巻付け領域６とは反対側に、単層の状態で移送方向Ｒの下流側に、はみ出している。
換言すれば、バンド基材２には、単葉のリストバンド１Ａを形成するための第１のバンド切離し線１２および第２のバンド切離し線１３を形成し、台紙４には、単葉のリストバンド１Ａを形成するための第１の台紙切離し線１６および第２の台紙切離し線１７を、第１のバンド切離し線１２および第２のバンド切離し線１３とはそれぞれ異なった位置に形成している。
さらに、単葉のリストバンド１Ａは、第１の巻付け領域６の裏面において台紙４が剥離されて粘着剤層３が露出可能であり、この露出された粘着剤層３を有するバンド基材２は、単層のバンド基材２Ａとなっている。
また、第２の巻付け領域７の表面においてバンド基材２が除去されて台紙４が露出可能であり、この露出された台紙４は、単層の台紙４Ａとなっている。
【００４６】
台紙４は、上述のようにこれを透明材料から構成するとともに、とくに図１（２）および図２（１）に示すように、第１の巻付け領域６および第２の巻付け領域７において、台紙４の裏面には、それぞれ第１の貼合わせ位置マーク１８（第１の貼合わせ位置ガイド）および第２の貼合わせ位置マーク１９（第２の貼合わせ位置ガイド）を設けている。
図示の例では、四つ葉のクローバーをデザインし、第１の貼合わせ位置マーク１８として、四つ葉としては不完全な状態の三枚の葉および茎を描き、第２の貼合わせ位置マーク１９として残る一枚の葉を描いてあり、とくに第１の貼合わせ位置マーク１８において第２の貼合わせ位置マーク１９が貼り合わされる部位に点線状の第２の貼合わせ位置マーク１９Ａを描いてある。
台紙４が透明であるので、第１の貼合わせ位置マーク１８および第２の貼合わせ位置マーク１９さらに点線状の第２の貼合わせ位置マーク１９Ａはともに、表裏いずれの面からもこれを透視することができる。
【００４７】
なお本発明において、第１の貼合わせ位置ガイドおよび第２の貼合わせ位置ガイドは、第１の巻付け領域６および第２の巻付け領域７にあらかじめ印刷した貼合わせ位置マークであることができ、たとえば、「○×あるいは△」のような単純なものから、ふたつ合わせて意味があるような割り符のようなもの、あるいは同じ形状でも濃度を変えて対としたもの、さらには広告表示を行うデザインなど、任意のデザインを採用可能である。
【００４８】
なおバンド基材２および台紙４には、ハーフカットあるいはミシン目などのバンド取外し用切込み部２０および台紙取外し用切込み部２１を形成しておくことにより、正規の使用後の破断取外しを容易にすることもできる。ただし、バンド基材２および台紙４でハーフカットあるいはミシン目の形成位置をずらしておくことが望ましい。
【００４９】
こうした構成のリストバンド連続体１（リストバンド１Ａ）を被巻付け部Ｗに巻き付ける操作について、図３ないし図５にもとづき説明する。
図３は、リストバンド連続体１から分離した単葉のリストバンド１Ａをリング状にして巻き付ける第一段階を示す斜視図であって、第１の巻付け領域６の裏面側における台紙４をはがして粘着剤層３を露出している（露出工程）。
台紙４をはがすにあたって、リストバンド連続体１の先端部（最下流側の前端部）における台紙４すなわち単層の台紙４Ａは、それ以前のリストバンド１Ａの切離しによりすでにその上層側のバンド基材２（単層のバンド基材２Ａ）がなく、すなわち、下流側におけるバンド基材２と台紙４とをはがす必要がなく、上流側におけるバンド基材２の第１のバンド切離し線１２の部分においてバンド基材２と台紙４とを剥離すれば、図２および図３に示す状態のリストバンド１Ａを簡単に得ることができる。
図３に示す状態では、第２の巻付け領域７における第２の貼合わせ位置マーク１９を第１の巻付け領域６における第１の貼合わせ位置マーク１８の方向（図中矢印）に向かって貼り合わせる。
【００５０】
すなわち図４は、第１の巻付け領域６の裏面と第２の巻付け領域７の裏面とを貼り合わせた第１の貼合わせ工程を示す斜視図であって、第２の巻付け領域７（単層の台紙４Ａ）における第２の貼合わせ位置マーク１９を第１の巻付け領域６における第１の貼合わせ位置マーク１８（より具体的には点線状の第２の貼合わせ位置マーク１９Ａ）に合わせるように、つまり、四つ葉のクローバーのデザインを完成するように貼り合わせるとともに、単層のバンド基材２Ａの粘着剤層３に単層の台紙４Ａの先端側を貼り合わせる。
ただし、この第１の貼合わせ工程において、単層の台紙４Ａ（台紙４）は透明であるので、その裏面側の第２の貼合わせ位置マーク１９を透かして見ることができる。
なお、第１の貼合わせ位置マーク１８（第１の貼合わせ位置ガイド）あるいは第２の貼合わせ位置マーク１９（第２の貼合わせ位置ガイド）の少なくともいずれか一方を粘着剤層３に設けることができる。
たとえば、第１の巻付け領域６における第１の貼合わせ位置マーク１８および点線状の第２の貼合わせ位置マーク１９Ａについては、これを台紙４の裏面ではなく粘着剤層３に直接印刷しておくことができ、この印刷部分における下層側の台紙４が透明であることから、この印刷部分における下層側の台紙４および単層の台紙４Ａを通して、第１の貼合わせ位置マーク１８および点線状の第２の貼合わせ位置マーク１９Ａを透かして見るように構成することもできる。
【００５１】
この第１の貼合わせ工程において、とくに図２（２）および図４（さらには図５）に示すように、粘着剤層３は、第２の巻付け領域７の裏面が貼り付けられる第１の貼付け領域２２と、第２の巻付け領域７の表面が貼り付けられる第２の貼付け領域２３と、に画成可能である。
要するに、第１の巻付け領域６の裏面側における台紙４（上流側における、つぎのリストバンド１Ａの使用時に単層となる予定の台紙４Ａ）をはがして粘着剤層３を露出可能とし、この露出した粘着剤層３を有する第１の巻付け領域６の裏面と、第２の巻付け領域７の裏面とを、粘着剤層３の一部（第２の貼付け領域２３）を露出可能に残した状態で第１の貼合わせ位置マークおよび第２の貼合わせ位置マーク１９、１９Ａを互いに合わせるように重ね合わせて貼り付けることにより被巻付け部Ｗに巻き掛けるように環状に形成可能としている。
【００５２】
さらにこの第１の貼合わせ工程では、被巻付け部Ｗとは離れた場所で被巻付け部Ｗとは関係なくリストバンド１Ａを環状に形成することができるもので、一人でリストバンド１Ａを巻付ける際にも両手で上述の作業を行うことが可能であって、従来のように一方の手首にリストバンド１Ａを巻き掛けた状態で、他方の手で第１の巻付け領域６および第２の巻付け領域７を貼り合わせるという面倒かつ不正確な作業を行うことはない。
また、図４に示すように第１の巻付け領域６および第２の巻付け領域７を貼り合わせた状態では、環状のリストバンド１Ａは、設計したほぼ最大径ないし最大の大きさとなっており、使用者によって大きさが異なる手首や足首などの被巻付け部Ｗを容易に通すことができる。
【００５３】
図５は、第１の巻付け領域６の裏面と第２の巻付け領域７の表面を貼り合わせた第２の貼合わせ工程を示す断面図であって、第１の貼合わせ工程により環状に形成したリストバンド１Ａ（図４）に被巻付け部Ｗを通した状態で、第１の巻付け領域６の裏面において露出可能に一部残った粘着剤層３（第２の貼付け領域２３）有する第１の巻付け領域６を第２の巻付け領域７の表面に貼り付けて、被巻付け部Ｗへの巻付け作業を完了する。
とくに、図５においてそれぞれの矢印に示すように、第２の巻付け領域７における単層の台紙４Ａの第２の貼合わせ位置マーク１９が第１の巻付け領域６における第１の貼合わせ位置マーク１８および点線状の第２の貼合わせ位置マーク１９Ａに合わされているとともに、単層の台紙４Ａが第１の巻付け領域６（粘着剤層３）における第１の貼付け領域２２に貼り合わされており、さらに、第１の巻付け領域６における単層のバンド基材２Ａが第２の貼付け領域２３により第２の巻付け領域７の貼付け範囲印刷欄１０に貼り合わされている。
なお、単層のバンド基材２Ａを貼付け範囲印刷欄１０に貼り合わせる作業は、使用者自身がこれを片手で行うことになるが、所定の剛性を有するリストバンド１Ａ自体がすでに両端部を適正かつ正確に貼り合わされてリング状になっており、容易かつ正確に行うことができる。
【００５４】
したがって、図４に示した第１の貼合わせ工程において、リストバンド１Ａは被巻付け部Ｗに対してほぼ一定の最大直径を得るようにこれを環状に貼り合わせることができ、すなわち、リストバンド１Ａによるリングのサイズを一定に保持することができ、図５に示したつぎの第２の貼合わせ工程において、任意の大きさの被巻付け部Ｗに対して適度な直径を得るように調整しながらこれを環状に貼り合わせ固定して、巻付け作業を完了することができる。
【００５５】
なお、第２の巻付け領域７におけるバンド基材２には、その幅方向に互いに平行な複数本のミシン目２４（図２（２）、図４の仮想線）を形成することにより、バンド基材２の剛性を低下させ、すなわちバンド基材２に柔軟性を付与して、第２の貼合わせ工程により形成されるリストバンド１Ａの内層側においてバンド基材２が二重になるリング状態を被巻付け部Ｗになじませることができる。
【００５６】
かくして、エンボス加工１４を施した台紙４が、使用時に被巻付け部Ｗに直接接触可能であって、台紙４を捨てることなくそのまま使用することができる。さらに、被巻付け部Ｗの大きさに合った大きさのリストバンド１Ａを巻き付けることができ、その巻付け操作も、たとえば使用者自身が一人で行うときに、第１の貼合わせ工程を両手で行うことができ、適正な貼合わせ位置ないし範囲を確保し、適正位置から大きくずれた不正確な位置への貼付け状態ないし貼付け姿勢を回避することができる。
【００５７】
つぎに本発明の第２の実施例によるリストバンド、リストバンド連続体およびリストバンドの巻付け方法を図６ないし図１０にもとづき説明する。
図６は、リストバンド連続体３０の説明図であって、図６（１）は、平面図、図６（２）は、裏面図、図６（３）は、断面図、図７は、同、第２の実施例によるリストバンド３０Ａの説明図であって、図７（１）は、裏面図、図７（２）は、断面図である。なお、以下の説明では、第１の実施例とは異なる部分のみを説明し、同様の部分には同一符号を付してその詳述はこれを省略する。
リストバンド連続体３０およびリストバンド３０Ａは、リストバンド連続体１およびリストバンド１Ａ（図１ないし図５）とは、台紙４の両端部構造すなわち、第１の貼合わせ位置ガイド（山形状の屈曲線マーク３３）および第２の貼合わせ位置ガイド（先端部が三角形状ないし山形状の単層の台紙４Ｂ）が異なる。
すなわち、バンド基材２については、リストバンド連続体１およびリストバンド１Ａと同様に、第１のバンド切離し線１２および第２のバンド切離し線１３によりリストバンド３０Ａを単葉形態としている一方、リストバンド連続体１における第１の台紙切離し線１６に相当する山形状の第１の台紙切離し線３１と、第２の台紙切離し線１７に相当する山形状の第２の台紙切離し線３２とにより、単葉形態のリストバンド３０Ａを得ている。
【００５８】
したがって、単層のバンド基材２Ａの反対側（下流側）に位置する台紙４は単層の台紙４Ｂとなり、その先端部が三角形状をなしている。
この単層の台紙４Ｂに対応させるための第１の貼合わせ位置ガイドは、リストバンド１Ａにおける第１の貼合わせ位置マーク１８に代わって山形状の屈曲線マーク３３を単層のバンド基材２Ａの粘着剤層３にあらかじめ印刷してある。
逆に言えば、第１の巻付け領域６における第１の貼合わせ位置ガイド（山形状の屈曲線マーク３３）に対応する第２の貼合わせ位置ガイドは、第２の巻付け領域７に所定形状（図示の例では、たとえば先端部を山形状）にあらかじめ形成した貼合わせ位置ガイド片としての先端部が山形状の単層の台紙４Ｂである。
もちろん、第１の巻付け領域６の部分に山形状の屈曲線マーク３３を形成せず、単層のバンド基材２Ａを単層の台紙４Ｂと同様の先端部三角形状に形成し、第１の貼合わせ位置ガイド片とすることもできる。
なお、第１の貼合わせ位置ガイドおよび第２の貼合わせ位置ガイドを、たとえば先端部三角形状の単層の台紙４Ｂのような貼合わせ位置ガイド片として構成することにより、前述した第１の実施例（図１（２））における台紙４の裏面にあらかじめ印刷してある第１の貼合わせ位置マーク１８、あるいは第２の貼合わせ位置マーク１９や点線状の第２の貼合わせ位置マーク１９Ａなどのように万が一の場合に摩耗で擦り消えてしまうおそれはない。
【００５９】
こうした構成のリストバンド連続体３０から分離した単葉のリストバンド３０Ａを被巻付け部Ｗに巻き付ける操作について、図８ないし図１０にもとづき説明する。
図８は、リストバンド連続体３０から分離した単葉のリストバンド３０Ａを巻き付ける第一段階を示す斜視図であって、リストバンド連続体１およびリストバンド１Ａと同様に、第１の巻付け領域６の裏面側における台紙４をはがして粘着剤層３を露出している（露出工程）。
図８に示す状態では、第２の巻付け領域７における単層の台紙４Ｂを第１の巻付け領域６における山形状の屈曲線マーク３３の方向（図中矢印）に向かって貼り合わせる。
【００６０】
すなわち図９は、第１の巻付け領域６の裏面と第２の巻付け領域７の裏面とを貼り合わせた第１の貼合わせ工程を示す斜視図であって、第２の巻付け領域７における単層の台紙４Ｂの先端部の三角形状を第１の巻付け領域６における山形状の屈曲線マーク３３に合わせるように貼り合わせ、単層のバンド基材２Ａの粘着剤層３に単層の台紙４Ｂの先端側を貼り合わせる。
ただし、この第１の貼合わせ工程において、単層の台紙４Ｂ（台紙４）は透明であるので、単層の台紙４Ｂの先端部がバンド基材２Ａの裏面における屈曲線マーク３３にわずかに重なってもこれを透かして見ることができる。
【００６１】
要するに、第１の巻付け領域６の裏面側における台紙４（上流側における、つぎのリストバンド１Ａの使用時に単層となる予定の台紙４Ｂ）をはがして粘着剤層３を露出可能とし、露出した粘着剤層３を有する第１の巻付け領域６の裏面と、第２の巻付け領域７の裏面とを、粘着剤層３の一部（第２の貼付け領域２３）を露出可能に残した状態で屈曲線マーク３３（第１の貼合わせ位置ガイド）および単層の台紙４Ｂ（第２の貼合わせ位置ガイド）の先端部およびを互いに合わせるように重ね合わせて貼り付けることにより被巻付け部Ｗに巻き掛けるように環状に形成可能としている。
この第１の貼合わせ工程において、単層の台紙４Ｂは単なる所定形状の端縁部を有するので、これを山形状の屈曲線マーク３３に合わせることは容易である。
【００６２】
さらに、この第１の貼合わせ工程では、第１の実施例によるリストバンド１Ａと同様に、被巻付け部Ｗとは離れた場所で被巻付け部Ｗとは関係なくリストバンド３０Ａを環状に形成することができるもので、一人でリストバンド１Ａを巻付ける際の面倒さがないとともに、設計したほぼ最大径ないし最大の大きさにリストバンド３０Ａを環状とすることができる。
【００６３】
図１０は、第１の巻付け領域６の裏面と第２の巻付け領域７の表面を貼り合わせた第２の貼合わせ工程を示す断面図であって、第１の貼合わせ工程により環状に形成したリストバンド３０Ａ（図９）に被巻付け部Ｗを通した状態で、第１の巻付け領域６の裏面において露出可能に一部残った粘着剤層３（第２の貼付け領域２３）を有する第１の巻付け領域６を第２の巻付け領域７の表面に貼り付けて、被巻付け部Ｗへの巻付け作業を完了する。
とくに図１０においてそれぞれの矢印に示すように、第２の巻付け領域７における単層の台紙４Ｂの先端部が第１の巻付け領域６における山形状の屈曲線マーク３３に合わされているとともに、単層の台紙４Ｂが第１の巻付け領域６（粘着剤層３）における第１の貼付け領域２２に貼り合わされており、さらに、第１の巻付け領域６における単層のバンド基材２Ａが第２の貼付け領域２３により第２の巻付け領域７の貼付け範囲印刷欄１０に貼り合わされている。
【００６４】
したがって、図９に示した第１の貼合わせ工程において、リストバンド３０Ａは被巻付け部Ｗに対して最大の直径を得るようにこれを環状に貼り合わせることができ、図１０に示したつぎの第２の貼合わせ工程において、任意の大きさの被巻付け部Ｗに対して適度な直径を得るように調整しながらこれを環状に貼り合わせ固定して、巻付け作業を完了することができる。
【００６５】
かくして、エンボス加工１４を施した台紙４が、被巻付け部Ｗに直接接触可能であって、被巻付け部Ｗの大きさに合った大きさのリストバンド３０Ａを巻き付けることができ、その巻付け操作も、たとえば使用者自身が一人で行うときに、第１の貼合わせ工程を両手で行うことができ、適正な貼合わせ位置ないし範囲を確保し、適正位置から大きくずれた不正確な位置への貼付け状態ないし貼付け姿勢を回避することができる。
【００６６】
つぎに本発明の第３の実施例によるリストバンド、リストバンド連続体およびリストバンドの巻付け方法を図１１ないし図１５にもとづき説明する。
図１１は、リストバンド連続体４０の説明図であって、図１１（１）は、平面図、図１１（２）は、裏面図、図１１（３）は、断面図、図１２は、同、第３の実施例によるリストバンド４０Ａの説明図であって、図１２（１）は、裏面図、図１２（２）は、断面図である。
リストバンド連続体４０およびリストバンド４０Ａが、リストバンド連続体１およびリストバンド１Ａ（第１の実施例、図１ないし図５）、ならびにリストバンド連続体３０およびリストバンド３０Ａ（第２の実施例、図６ないし図１０）と異なる構成は、帯状の台紙４を持たない点（より正確には台紙４が設けられているのは、後述のように第１の巻付け領域６の裏面側のごく一部である点）、したがって、バンド基材２が、被巻付け部Ｗに直接接触可能である点、ならびにバンド基材２がミシン目などの第１のバンド切離し線４１および第２のバンド切離し線４２により分離可能となっている点、さらにこれらにともなう構造などである。
【００６７】
まず、リストバンド連続体４０（リストバンド４０Ａ）においては、バンド基材２は、その中央領域５の上流側に位置する第１の巻付け領域６における上流側バンド基材２Ｂと、下流側に位置する第２の巻付け領域７における下流側バンド基材２Ｃと、を有しており、粘着剤層３および台紙４は、ともに矩形状であって、第１の巻付け領域６の上流側端部における上流側バンド基材２Ｂの裏面のみにこれを設けている。
すなわち、上流側バンド基材２Ｂの裏面における粘着剤層３は、第１の巻付け領域６の一部分のみにこれを形成しており、とくに図１２（１）に示すように、第１の巻付け領域６における前記第１の貼合わせ位置マーク１８および点線状の第２の貼合わせ位置マーク１９Ａ（図２（１））に相当する領域として第１の貼付け領域４３（第１の貼合わせ位置ガイド、図１２（１）では「Ｘ枠」と表示してある）を設けるとともに、第１の貼付け領域４３に隣接して第２の貼付け領域４４（図１２（１）では「Ｙ枠」と表示してある）を設けている。
一方、第２の巻付け領域７における下流側バンド基材２Ｃの裏面には、前記第２の貼合わせ位置マーク１９に相当する領域として貼合わせ位置マーク４５（第２の貼合わせ位置ガイド）をあらかじめ印刷してある（図１２（１）では「Ｘ枠へ」と表示してある）。
【００６８】
こうした構成のリストバンド連続体４０から分離した単葉のリストバンド４０Ａを被巻付け部Ｗに巻き付ける操作について、図１３ないし図１５にもとづき説明する。
図１３は、リストバンド連続体４０から分離した単葉のリストバンド４０Ａを巻き付ける第一段階を示す斜視図であって、第１の巻付け領域６の裏面側における第１の貼付け領域４３および第２の貼付け領域４４に仮着されている台紙４をはがして粘着剤層３を露出している（露出工程）。
図１３に示す状態では、第２の巻付け領域７における貼合わせ位置マーク４５（「Ｘ枠へ」の表示部分）を第１の巻付け領域６における第１の貼付け領域４３（「Ｘ枠」の表示部分）の方向（図中矢印）に向かって貼り合わせる。
【００６９】
すなわち、図１４は、第１の巻付け領域６の裏面と第２の巻付け領域７の裏面とを貼り合わせる第１の貼合わせ工程を示す斜視図であって、第２の巻付け領域７（下流側バンド基材２Ｃ）における貼合わせ位置マーク４５を第１の巻付け領域６（上流側バンド基材２Ｂ）における第１の貼付け領域４３に合わせるように貼り合わせる。
【００７０】
要するに、露出した粘着剤層３を有する第１の巻付け領域６の裏面と、第２の巻付け領域７の裏面とを、粘着剤層３の一部（「Ｙ枠」と表示してある第２の貼付け領域４４）を露出可能に残した状態で第１の貼付け領域４３および貼合わせ位置マーク４５を互いに合わせるように重ね合わせて貼り付けることにより被巻付け部Ｗに巻き掛けるように環状に形成可能としている。
この第１の貼合わせ工程において、貼合わせ位置マーク４５は単に「Ｘ枠へ」との表示だけであるので、これを第１の貼付け領域４３に合わせることは容易である。
【００７１】
さらにこの第１の貼合わせ工程では、被巻付け部Ｗとは離れた場所で被巻付け部Ｗとは関係なくリストバンド４０Ａを環状に形成することができるもので、一人でリストバンド１Ａを巻付ける際の面倒さがないとともに、設計したほぼ最大径ないし最大の大きさにリストバンド３０Ａを環状とすることができる。
【００７２】
図１５は、第１の巻付け領域６の裏面と第２の巻付け領域７の表面を貼り合わせた第２の貼合わせ工程を示す断面図であって、第１の貼合わせ工程により環状に形成したリストバンド４０Ａ（図１２）に被巻付け部Ｗを通した状態で、第１の巻付け領域６の裏面において露出可能に一部残った粘着剤層３（第２の貼付け領域４４）を有する第１の巻付け領域６（上流側バンド基材２Ｂ）を第２の巻付け領域７（下流側バンド基材２Ｃ）の表面に貼り付けて、被巻付け部Ｗへの巻付け作業を完了する。
とくに図１５においてそれぞれの矢印に示すように、第２の巻付け領域７における貼合わせ位置マーク４５が第１の巻付け領域６における第１の貼付け領域４３に合わされているとともに、上流側バンド基材２Ｂが第２の貼付け領域４４により第２の巻付け領域７の貼付け範囲印刷欄１０に貼り合わされる。
【００７３】
したがって図１４に示した第１の貼合わせ工程において、リストバンド４０Ａは被巻付け部Ｗに対して最大の直径を得るようにこれを環状に貼り合わせることができ、図１５に示したつぎの第２の貼合わせ工程において、任意の大きさの被巻付け部Ｗに対して適度な直径を得るように調整しながらこれを環状に貼り合わせ固定して、巻付け作業を完了することができる。
【００７４】
かくして、バンド基材２が、被巻付け部Ｗに直接接触可能であって、リストバンド連続体４０としては台紙４の使用量がわずかであるため安価に製造可能である。さらに、被巻付け部Ｗの大きさに合った大きさのリストバンド４０Ａを巻き付けることができ、その巻付け操作も、たとえば使用者自身が一人で行うときに、第１の貼合わせ工程を両手で行うことができ、適正な貼合わせ位置ないし範囲を確保し、適正位置から大きくずれた不正確な位置への貼付け状態ないし貼付け姿勢を回避することができる。
【００７５】
つぎに本発明の第４の実施例によるリストバンド、リストバンド連続体およびリストバンドの巻付け方法を図１６ないし図２０にもとづき説明する。
図１６は、リストバンド連続体５０の説明図であって、図１６（１）は、平面図、図１６（２）は、裏面図、図１６（３）は、断面図、図１７は、同、第４の実施例によるリストバンド５０Ａの説明図であって、図１７（１）は、裏面図、図１７（２）は、断面図である。
リストバンド連続体５０およびリストバンド５０Ａは、リストバンド連続体３０およびリストバンド３０Ａ（第２の実施例、図６、図７）と同様に、リストバンド連続体１およびリストバンド１Ａ（図１ないし図５）とは、台紙４の両端部構造すなわち、第１の貼合わせ位置ガイド（細山形状の屈曲線マーク５１）および第２の貼合わせ位置ガイド（先端部が細山形状の単層の台紙４Ｃ）が異なる。
すなわち、バンド基材２については、リストバンド連続体５０の移送方向Ｒに凸の円弧状を呈した上流側の第１のバンド切離し線５２（第１のバンド切離し用のカット）および同じく円弧状を呈した下流側の第２のバンド切離し線５３（第２のバンド切離し用のカット）によってリストバンド５０Ａを単葉形態としているとともに、リストバンド連続体３０における第１の台紙切離し線３１に相当する細山形状の第１の台紙切離し線５４と、第２の台紙切離し線３２に相当する細山形状の第２の台紙切離し線５５とにより、単葉形態のリストバンド５０Ａを得ている。
【００７６】
したがって、単層のバンド基材２Ｄの反対側（下流側）に位置する台紙４は単層の台紙４Ｃとなり、その先端部が細山形状をなしている。
この単層の台紙４Ｃに対応させるための第１の貼合わせ位置ガイドは、細山形状の屈曲線マーク５１を単層のバンド基材２Ｄの粘着剤層３にあらかじめ印刷してこれを形成している。
逆に言えば、第１の巻付け領域６における第１の貼合わせ位置ガイド（細山形状の屈曲線マーク５１）に対応する第２の貼合わせ位置ガイドは、第２の巻付け領域７に所定形状（図示の例では、たとえば先端部を細山形状）にあらかじめ形成した貼合わせ位置ガイド片としての先端部が細山形状の単層の台紙４Ｃである。
【００７７】
こうした構成のリストバンド連続体５０から分離した単葉のリストバンド５０Ａを被巻付け部Ｗに巻き付ける操作について、図１８ないし図２０にもとづき説明する。
リストバンド連続体５０および単葉のリストバンド５０Ａは、既述のリストバンド連続体１および単葉のリストバンド１Ａ（第１の実施例、図１、図２）、さらには、リストバンド連続体３０および単葉のリストバンド３０Ａ（第２の実施例、図６、図７）と同様に、バンド基材２の一方の端部（単層のバンド基材２Ｄ）の裏面において台紙４が剥離されて粘着剤層３が露出可能であるとともに、バンド基材２の他方の端部の表面においてバンド基材２が剥離されて台紙４（単層の台紙４Ｃ）が露出しているので、リストバンド連続体５０の最先端部から単葉のリストバンド５０Ａを剥ぎ取れば、この単葉のリストバンド５０Ａを直ちにリング状に形成することができる。
すなわち図１８は、リストバンド連続体５０から分離した単葉のリストバンド５０Ａを巻き付ける第一段階を示す斜視図であって、リストバンド連続体３０およびリストバンド３０Ａなどと同様に、第１の巻付け領域６の裏面側における台紙４をはがして粘着剤層３を露出している（露出工程）。なお、リストバンド連続体５０の最先端部から単葉のリストバンド５０Ａを剥ぎ取る際に、上流側の第１のバンド切離し線５２が円弧状を呈しているため、その剥ぎ取り位置を見いだしやすく、作業性を向上することができる。
図１８に示す状態では、第２の巻付け領域７における単層の台紙４Ｃを第１の巻付け領域６における細山形状の屈曲線マーク５１の方向（図中矢印）に向かって貼り合わせる。
【００７８】
すなわち図１９は、第１の巻付け領域６の裏面と第２の巻付け領域７の裏面とを貼り合わせた第１の貼合わせ工程を示す斜視図であって、第２の巻付け領域７における単層の台紙４Ｃの先端部の細山形状を第１の巻付け領域６における細山形状の屈曲線マーク５１に合わせるように貼り合わせ、単層のバンド基材２Ｄの粘着剤層３に単層の台紙４Ｃの先端側を貼り合わせる。
ただし、この第１の貼合わせ工程において、単層の台紙４Ｃ（台紙４）は透明であるので、単層の台紙４Ｃの先端部がバンド基材２Ｄの裏面における屈曲線マーク５１にわずかに重なってもこれを透かして見ることができる。
【００７９】
要するに、第１の巻付け領域６の裏面側における台紙４（上流側における、つぎのリストバンド５０Ａの使用時に単層となる予定の台紙４Ｃ）をはがして粘着剤層３を露出可能とし、露出した粘着剤層３を有する第１の巻付け領域６の裏面と、第２の巻付け領域７の裏面とを、粘着剤層３の一部（第２の貼付け領域２３）を露出可能に残した状態で屈曲線マーク５１（第１の貼合わせ位置ガイド）および単層の台紙４Ｃ（第２の貼合わせ位置ガイド）の先端部およびを互いに合わせるように重ね合わせて貼り付けることにより被巻付け部Ｗに巻き掛けるように環状に形成可能としている。
この第１の貼合わせ工程において、単層の台紙４Ｃは単なる所定形状の端縁部を有するので、これを細山形状の屈曲線マーク５１に合わせることは容易である。
【００８０】
さらに、この第１の貼合わせ工程では、第１の実施例によるリストバンド１Ａなどと同様に、被巻付け部Ｗとは離れた場所で被巻付け部Ｗとは関係なくリストバンド５０Ａを環状に形成することができるもので、一人でリストバンド１Ａを巻付ける際の面倒さがないとともに、設計したほぼ最大径ないし最大の大きさにリストバンド５０Ａを環状とすることができる。
【００８１】
図２０は、第１の巻付け領域６の裏面と第２の巻付け領域７の表面を貼り合わせた第２の貼合わせ工程を示す断面図であって、第１の貼合わせ工程により環状に形成したリストバンド５０Ａ（図１９）に被巻付け部Ｗを通した状態で、第１の巻付け領域６の裏面において露出可能に一部残った粘着剤層３（第２の貼付け領域２３）を有する第１の巻付け領域６を第２の巻付け領域７の表面に貼り付けて、被巻付け部Ｗへの巻付け作業を完了する。
とくに図２０においてそれぞれの矢印に示すように、第２の巻付け領域７における単層の台紙４Ｃの先端部が第１の巻付け領域６における細山形状の屈曲線マーク５１に合わされているとともに、単層の台紙４Ｃが第１の巻付け領域６（粘着剤層３）における第１の貼付け領域２２に貼り合わされており、さらに、第１の巻付け領域６における単層のバンド基材２Ｄが第２の貼付け領域２３により第２の巻付け領域７の貼付け範囲印刷欄１０に貼り合わされている。
【００８２】
したがって、図１９に示した第１の貼合わせ工程においてリストバンド５０Ａは被巻付け部Ｗに対して最大の直径を得るようにこれを環状に貼り合わせることができ、図２０に示したつぎの第２の貼合わせ工程において、任意の大きさの被巻付け部Ｗに対して適度な直径を得るように調整しながらこれを環状に貼り合わせ固定して、巻付け作業を完了することができる。
【００８３】
かくして、エンボス加工１４を施した台紙４が、被巻付け部Ｗに直接接触可能であって、被巻付け部Ｗの大きさに合った大きさのリストバンド５０Ａを巻き付けることができ、その巻付け操作も、たとえば使用者自身が一人で行うときに、第１の貼合わせ工程を両手で行うことができ、適正な貼合わせ位置ないし範囲を確保し、適正位置から大きくずれた不正確な位置への貼付け状態ないし貼付け姿勢を回避することができる。
【００８４】
つぎに本発明の第５の実施例によるリストバンド、リストバンド連続体およびリストバンドの巻付け方法を図２１にもとづき説明する。
図２１は、リストバンド連続体６０の説明図であって、図２１（１）は、平面図、図２１（２）は、裏面図、図２１（３）は、断面図である。
リストバンド連続体６０およびリストバンド６０Ａは、リストバンド連続体５０およびリストバンド５０Ａ（第４の実施例、図１６、図１７）と同様に、台紙４に細山形状の第１の台紙切離し線５４および細山形状の第２の台紙切離し線５５を形成しているが、バンド基材２については、上流側の第１のバンド切離し線６１（第１のバンド切離し用のカット）および下流側の第２のバンド切離し線６２（第２のバンド切離し用のカット）により単葉形態のリストバンド６０Ａを得ている。
【００８５】
それぞれの第１のバンド切離し線６１および第２のバンド切離し線６２には、同じ形状の単葉のリストバンド６０Ａを形成可能な切離し用のカットであるとともに、この切離し用のカットの部分において位置検出用の間隔６３を形成している。
なお、台紙４の裏面に位置検出用マーク１５（たとえば図１参照）をあらかじめ印刷することなく、位置検出用の間隔６３における上流側あるいは下流側のいずれか一方のバンド基材２の端面部６３Ａを位置検出用センサー（図示せず）により検出可能としている。したがって、台紙４の裏面に形成する位置検出用マーク１５が摩耗などにより万が一剥げ落ちてしまって位置検出が困難になることを回避可能である。
【００８６】
こうした構成のリストバンド連続体６０から分離した単葉のリストバンド６０Ａを被巻付け部Ｗに巻き付ける操作については、第４の実施例によるリストバンド連続体５０およびリストバンド５０Ａにおける図１８ないし図２０に示した工程と同様であるので、その詳述はこれを省略する。
以下は、本発明に係るバンド連続体に関連する参考例である。
第一の態様は、従来のように帯状のバンド基材の両端部の裏面と表面とを貼り合わせるのではなく最初に裏面どうしを貼り合わせること、一回の貼付け操作で被巻付け部への環状の巻付け操作を完了するのではなく巻付け操作を二回に分けることに着目したもので、第一の態様は、帯状のバンド基材と、このバンド基材の裏面に形成した粘着剤層と、この粘着剤層に仮着してこれを被覆可能な台紙と、を有し、上記バンド基材は、特定情報を表示可能な中央領域と、この中央領域の左右端部にそれぞれ位置し、この中央領域とともに手首や足首などの被巻付け部に巻き付け可能な第１の巻付け領域および第２の巻付け領域と、を有するリストバンドであって、上記第１の巻付け領域および上記第２の巻付け領域に、第１の貼合わせ位置ガイドおよび第２の貼合わせ位置ガイドをそれぞれ設けているとともに、上記第１の巻付け領域の裏面側における上記台紙をはがして上記粘着剤層を露出可能とし、この露出した上記粘着剤層（第１の貼付け領域）を有する上記第１の巻付け領域の裏面と、上記第２の巻付け領域の裏面とを、上記粘着剤層の一部（第２の貼付け領域）を露出可能に残した状態で上記第１の貼合わせ位置ガイドおよび第２の貼合わせ位置ガイドを互いに合わせるように重ね合わせて貼り付けることにより上記被巻付け部に巻き掛けるように環状に形成可能とし、上記露出可能に一部残った上記粘着剤層（第２の貼付け領域）を有する上記第１の巻付け領域を上記第２の巻付け領域の表面に貼り付け可能としていることを特徴とするリストバンドである。
第二の態様は、帯状のバンド基材と、このバンド基材の裏面全面に形成した粘着剤層と、この粘着剤層に仮着してこれを被覆可能な帯状の台紙と、を有し、手首や足首などの被巻付け部に巻き付け可能なリストバンドであって、上記バンド基材の一方の端部の裏面において上記台紙が剥離されて上記粘着剤層が露出可能であるとともに、上記バンド基材の他方の端部の表面において上記バンド基材が剥離されて上記台紙が露出していることを特徴とするリストバンドである。
第三の態様は、上記第二の態様による上記リストバンドを複数枚有するもので、帯状のバンド基材と、このバンド基材の裏面全面に形成した粘着剤層と、この粘着剤層に仮着してこれを被覆可能な帯状の台紙と、を有し、手首や足首などの被巻付け部に巻き付け可能なリストバンド連続体であって、上記バンド基材には、単葉のリストバンドを形成するための所定間隔をあけた一対のバンド切離し線を形成し、上記台紙には、所定間隔をあけた一対の台紙切離し線を、上記バンド切離し線とはそれぞれ異なった部位に形成しているとともに、上記単葉のリストバンドは、上記バンド基材の一方の端部の裏面において上記台紙が剥離されて上記粘着剤層が露出可能であるとともに、上記バンド基材の他方の端部の表面において上記バンド基材が除去されて上記台紙が露出可能であることを特徴とするリストバンド連続体である。
上記バンド切離し線は、上記単葉のリストバンドを形成可能な切離し用のカットであることができる。
上記バンド切離し線は、上記単葉のリストバンドを形成可能な切離し用のカットであるとともに、この切離し用のカットの部分において位置検出用の間隔を形成していることができる。
第四の態様は、上記第一の態様による上記リストバンドを複数枚有するもので、帯状のバンド基材と、このバンド基材の裏面全面に形成した粘着剤層と、この粘着剤層に仮着してこれを被覆可能な帯状の台紙と、を有し、上記バンド基材は、特定情報を表示可能な中央領域と、この中央領域の左右端部にそれぞれ位置し、この中央領域とともに手首や足首などの被巻付け部に巻き付け可能な第１の巻付け領域および第２の巻付け領域と、を有するリストバンド連続体であって、上記バンド基材には、単葉のリストバンドを形成するための第１のバンド切離し線および第２のバンド切離し線を形成し、上記台紙には、単葉のリストバンドを形成するための第１の台紙切離し線および第２の台紙切離し線を、上記第１のバンド切離し線および上記第２のバンド切離し線とはそれぞれ異なった位置に形成しているとともに、上記単葉のリストバンドは、上記第１の巻付け領域の裏面において上記台紙が剥離されて上記粘着剤層が露出可能であり、上記第２の巻付け領域の表面において上記バンド基材が除去されて上記台紙が露出可能であることを特徴とするリストバンド連続体である。
第五の態様は、帯状のバンド基材と、このバンド基材の裏面に形成した粘着剤層と、この粘着剤層に仮着してこれを被覆可能な台紙と、を有し、上記バンド基材は、特定情報を表示可能な中央領域と、この中央領域の左右端部にそれぞれ位置し、この中央領域とともに手首や足首などの被巻付け部に巻き付け可能な第１の巻付け領域および第２の巻付け領域と、を有するリストバンドの巻付け方法であって、上記第１の巻付け領域および上記第２の巻付け領域に、第１の貼合わせ位置ガイドおよび第２の貼合わせ位置ガイドをそれぞれ設けるとともに、上記第１の巻付け領域の裏面側における上記台紙をはがして上記粘着剤層を露出する露出工程と、この露出した上記粘着剤層（第１の貼付け領域）を有する上記第１の巻付け領域の裏面と、上記第２の巻付け領域の裏面とを、上記粘着剤層の一部（第２の貼付け領域）を露出可能に残した状態で上記第１の貼合わせ位置ガイドおよび第２の貼合わせ位置ガイドを互いに合わせるように重ね合わせて貼り付けることにより上記被巻付け部に巻き掛けるように環状に形成する第１の貼合わせ工程と、上記露出可能に一部残った上記粘着剤層（第２の貼付け領域）を有する上記第１の巻付け領域を上記第２の巻付け領域の表面に貼り付ける第２の貼合わせ工程と、を有することを特徴とするリストバンドの巻付け方法である。
上記粘着剤層は、上記第２の巻付け領域の裏面が貼り付けられる第１の貼付け領域と、上記第２の巻付け領域の表面が貼り付けられる第２の貼付け領域と、に画成可能であることができる。
上記第１の巻付け領域および上記第２の巻付け領域の少なくともいずれか一方に、不正使用防止のための破断用切込み部を形成することができる。
上記第１の貼合わせ位置ガイドおよび上記第２の貼合わせ位置ガイドは、上記第１の巻付け領域および上記第２の巻付け領域にあらかじめ印刷した貼合わせ位置マークであることができる。
上記第１の貼合わせ位置ガイドあるいは上記第２の貼合わせ位置ガイドは、上記第１の巻付け領域あるいは上記第２の巻付け領域に所定形状にあらかじめ形成した貼合わせ位置ガイド片であることができる。
上記台紙が、上記被巻付け部に直接接触可能であることができる。
上記バンド基材が、上記被巻付け部に直接接触可能であることができる。
上記台紙は、これを透明材料から構成するとともに、上記台紙の裏面に上記第１の貼合わせ位置ガイドおよび上記第２の貼合わせ位置ガイドを設けていることができる。
上記台紙は、これを透明材料から構成するとともに、上記粘着剤層に上記第１の貼合わせ位置ガイドあるいは上記第２の貼合わせ位置ガイドの少なくともいずれか一方を設けていることができる。
上記第２の巻付け領域の上記台紙は、上記バンド基材からずれて上記第２の巻付け領域の端部側において、上記第１の巻付け領域とは反対側に、はみ出していることができる。
上記粘着剤層および上記台紙は、上記第１の巻付け領域の裏面のみにこれを設けていることができる。
上記第２の巻付け領域における上記バンド基材には、その幅方向に互いに平行な複数本のミシン目を形成していることができる。
上記第１の巻付け領域の表面あるいは裏面の少なくともいずれか一方に、当該リストバンドに関する広告情報をあらかじめ印刷可能とする広告情報印刷欄を設けていることができる。
上記態様（第一の態様、第四の態様、第五の態様）によるリストバンド、リストバンド連続体およびリストバンドの巻付け方法においては、第１の巻付け領域および第２の巻付け領域に、第１の貼合わせ位置ガイドおよび第２の貼合わせ位置ガイドをそれぞれ設けて、帯状のバンド基材の両端部の裏面どうしを貼り合わせるようにしたので、リストバンドの使用者が一人でも手首などに巻き付ける操作を簡単かつ確実に行うことができる。
また、最初は第１の巻付け領域および第２の巻付け領域のそれぞれの裏面どうしを貼り合わせ、ついで第１の巻付け領域の裏面を第２の巻付け領域の表面に貼り合わせることができるようにしたので、使用者の手首や足首の大きさに合わせてちょうどよい大きさのリング状に巻き付けることができる。
とくに第一の態様のリストバンドによれば、第１の巻付け領域および第２の巻付け領域に、第１の貼合わせ位置ガイドおよび第２の貼合わせ位置ガイドをそれぞれ設けているとともに、露出した粘着剤層を有する第１の巻付け領域の裏面と、第２の巻付け領域の裏面とを、粘着剤層の一部を露出可能に残した状態で第１の貼合わせ位置ガイドおよび第２の貼合わせ位置ガイドを互いに合わせるように重ね合わせて貼り付けることにより被巻付け部に巻き掛けるように環状に形成可能とし、露出可能に一部残った粘着剤層を有する第１の巻付け領域を第２の巻付け領域の表面に貼り付け可能としたので、リストバンドにおける両端部の貼合わせ操作を簡単に行うことができ、片手での巻付け操作も容易に行うことができる。
とくに第二の態様のリストバンドによれば、バンド基材の一方の端部の裏面において台紙が剥離されて粘着剤層が露出可能であるとともに、バンド基材の他方の端部の表面においてバンド基材が剥離されて台紙が露出しているので、台紙をはがす手順を必要とせずに、この台紙側の端部を粘着剤層側の端部に直ちに貼り合わせることにより環状に形成して手首などの被巻付け部に巻付けることができる。
とくに第三の態様のリストバンド連続体によれば、バンド基材には、単葉のリストバンドを形成するための所定間隔をあけた一対のバンド切離し線を形成し、台紙には、所定間隔をあけた一対の台紙切離し線を、バンド切離し線とはそれぞれ異なった部位に形成しているとともに、単葉のリストバンドは、バンド基材の一方の端部の裏面において台紙が剥離されて粘着剤層が露出可能であるとともに、バンド基材の他方の端部の表面においてバンド基材が除去されて台紙が露出可能であるので、リストバンド連続体の最先端部の台紙は、先行するリストバンドの使用にともなうその取外しにより、すでに単層状態となっているので、つぎのリストバンド（上記リストバンド連続体の最先端部）は、上流側のバンド基材のみを台紙からはがせば、つぎの単葉状態のリストバンドを得ることが可能となって、作業性が良好である。
とくに第四の態様のリストバンド連続体によれば、バンド基材に形成した第１のバンド切離し線および第２のバンド切離し線と、台紙に形成した第１の台紙切離し線および第２の台紙切離し線とをそれぞれ異なった位置に形成し、単葉のリストバンドは、第１の巻付け領域の裏面において台紙が剥離されて粘着剤層が露出可能であり、第２の巻付け領域の表面においてバンド基材が除去されて台紙が露出可能であるようにしたので、リストバンド連続体の最先端部の台紙は、先行するリストバンドの使用にともなうその取外しにより、すでに単層状態となっているので、上記第三の態様と同様に、つぎのリストバンドは、上流側のバンド基材のみを台紙からはがせばよく、作業性が良好である。
とくに第五の態様のリストバンドの巻付け方法によれば、第１の巻付け領域の裏面側における台紙をはがして粘着剤層を露出する露出工程と、この露出した粘着剤層を有する第１の巻付け領域の裏面と第２の巻付け領域の裏面とを、粘着剤層の一部を露出可能に残した状態で第１の貼合わせ位置ガイドおよび第２の貼合わせ位置ガイドを互いに合わせるように重ね合わせて貼り付けることにより被巻付け部に巻き掛けるように環状に形成する第１の貼合わせ工程と、露出可能に一部残った粘着剤層を有する第１の巻付け領域を第２の巻付け領域の表面に貼り付ける第２の貼合わせ工程と、を有するようにしたので、第１の貼合わせ工程では最大直径のリングを形成し、第２の貼合わせ工程では使用者の被巻付け部に合った大きさに合わせてリング状に巻掛け操作を確実に行うことができるとともに、最大直径から最終的な固定操作も容易である。
【符号の説明】
【００８７】
１  リストバンド連続体（第１の実施例、図１〜図５）
１Ａ  リストバンド（第１の実施例、図２）
２  帯状のバンド基材
２Ａ  単層のバンド基材（図２、図７）
２Ｂ  上流側バンド基材（図１１〜図１５）
２Ｃ  下流側バンド基材（図１１〜図１５）
２Ｄ  単層のバンド基材（図１７）
３  粘着剤層
３Ａ  粘着剤層３の幅方向縁部（上流側の縁部、図１（３））
４  台紙
４Ａ  単層の台紙（図２）
４Ｂ  単層の台紙（第２の貼合わせ位置ガイド、貼合わせ位置ガイド片、図７）
４Ｃ  単層の台紙（第２の貼合わせ位置ガイド、貼合わせ位置ガイド片、図１７）
５  中央領域
６  第１の巻付け領域
７  第２の巻付け領域
８  広告情報印刷欄
９  使用方法印刷欄
１０  貼付け範囲印刷欄
１１  破断用切込み部
１２  第１のバンド切離し線
１３  第２のバンド切離し線
１４  エンボス加工面
１５  位置検出用マーク
１６  第１の台紙切離し線
１７  第２の台紙切離し線
１８  第１の貼合わせ位置マーク（第１の貼合わせ位置ガイド）
１９  第２の貼合わせ位置マーク（第２の貼合わせ位置ガイド）
１９Ａ  点線状の第２の貼合わせ位置マーク（第１の貼合わせ位置ガイド）
２０  バンド取外し用切込み部
２１  台紙取外し用切込み部
２２  粘着剤層３における第１の貼付け領域
２３  粘着剤層３における第２の貼付け領域
２４  ミシン目
３０  リストバンド連続体（第２の実施例、図６〜図１０）
３０Ａ  リストバンド（第２の実施例、図７）
３１  山形状の第１の台紙切離し線
３２  山形状の第２の台紙切離し線
３３  山形状の屈曲線マーク（第１の貼合わせ位置ガイド）
４０  リストバンド連続体（第３の実施例、図１１〜図１５）
４０Ａ  リストバンド（第３の実施例、図１２）
４１  第１のバンド切離し線
４２  第２のバンド切離し線
４３  第１の貼付け領域（第１の貼合わせ位置ガイド、図１２（１））
４４  第２の貼付け領域
４５  貼合わせ位置マーク（第２の貼合わせ位置ガイド）
５０  リストバンド連続体（第４の実施例、図１６〜図２０）
５０Ａ  リストバンド５０Ａ（第４の実施例、図１７）
５１  細山形状の屈曲線マーク（第１の貼合わせ位置ガイド）
５２  第１のバンド切離し線（第１のバンド切離し用のカット）
５３  第２のバンド切離し線（第２のバンド切離し用のカット）
５４  細山形状の第１の台紙切離し線
５５  細山形状の第２の台紙切離し線
６０  リストバンド連続体（第５の実施例、図２１）
６０Ａ  リストバンド（第５の実施例、図２１）
６１  第１のバンド切離し線（第１のバンド切離し用のカット）
６２  第２のバンド切離し線（第２のバンド切離し用のカット）
６３  位置検出用の間隔
６３Ａ  位置検出用の間隔６３におけるバンド基材２の端面部
Ｗ    被巻付け部（手首や足首など）
【図１】
2020038386.tif 000003
【図２】
2020038386.tif 000004
【図３】
2020038386.tif 000005
【図４】
2020038386.tif 000006
【図５】
2020038386.tif 000007
【図６】
2020038386.tif 000008
【図７】
2020038386.tif 000009
【図８】
2020038386.tif 000010
【図９】
2020038386.tif 000011
【図１０】
2020038386.tif 000012
【図１１】
2020038386.tif 000013
【図１２】
2020038386.tif 000014
【図１３】
2020038386.tif 000015
【図１４】
2020038386.tif 000016
【図１５】
2020038386.tif 000017
【図１６】
2020038386.tif 000018
【図１７】
2020038386.tif 000019
【図１８】
2020038386.tif 000020
【図１９】
2020038386.tif 000021
【図２０】
2020038386.tif 000022
【図２１】
2020038386.tif 000023
【手続補正書】
【提出日】令和1年11月7日(2019.11.7)
【手続補正１】
【補正対象書類名】特許請求の範囲
【補正対象項目名】全文
【補正方法】変更
【補正の内容】
【特許請求の範囲】
【請求項１】
帯状のバンド基材と、
前記バンド基材の裏面に形成された粘着剤層と、
透明材料で構成され、前記粘着剤層に仮着してこれを被覆可能な帯状の台紙と、を有し、
前記台紙に前記バンド基材を仮着した状態で前記台紙を被巻付け物に直接接触させて巻き付け可能なリストバンドであって、
前記リストバンドの一方端部側に位置し、前記台紙から長手方向外側に前記粘着剤層および前記バンド基材の一部を露出した部分を含む第１の巻付け領域と、
前記リストバンドの他方端部側に位置し、前記第１の巻付け領域と反対の長手方向外側に前記バンド基材から前記台紙の一部を露出した部分を含む第２の巻付け領域と、
を有し、
前記第１の巻付け領域に第１の貼合わせ位置ガイドが設けられ、
前記第２の巻付け領域の前記台紙の前記一部が露出した部分に第２の貼合わせ位置ガイドが設けられる、
リストバンド。
【請求項２】
前記第１の巻付け領域と前記第２の巻付け領域の間に位置し、前記帯状の台紙に前記バンド基材を仮着している中央領域と、を有し、
前記中央領域の長手方向の長さは前記第１の巻付け領域および前記第２の巻付け領域よりも長い、請求項１に記載のリストバンド。
【請求項３】
前記第１の巻付け領域には破断用切込み部が形成されている、請求項１又は２に記載のリストバンド。
【請求項４】
前記台紙には、位置検出用マークが形成されている請求項１から３のいずれかに記載の リストバンド。
【請求項５】
前記第２の巻付け領域である前記台紙の先端は山形状である、請求項１から４のいずれかに記載のリストバンド。
【手続補正２】
【補正対象書類名】明細書
【補正対象項目名】０００１
【補正方法】変更
【補正の内容】
【０００１】
本発明はリストバンドに関するものである。
【手続補正３】
【補正対象書類名】明細書
【補正対象項目名】００１０
【補正方法】変更
【補正の内容】
【００１０】
本発明は、手首や足首などの被巻付け部に巻き付ける際の操作が容易なリストバンドを提供することを課題とする。
【手続補正４】
【補正対象書類名】明細書
【補正対象項目名】００１１
【補正方法】変更
【補正の内容】
【００１１】
本発明のある態様によれば、帯状のバンド基材と、前記バンド基材の裏面に形成された粘着剤層と、透明材料で構成され、前記粘着剤層に仮着してこれを被覆可能な帯状の台紙と、を有し、前記台紙に前記バンド基材を仮着した状態で前記台紙を被巻付け物に直接接触させて巻き付け可能なリストバンドであって、前記リストバンドの一方端部側に位置し、前記台紙から長手方向外側に前記粘着剤層および前記バンド基材の一部を露出した部分を含む第１の巻付け領域と、前記リストバンドの他方端部側に位置し、前記第１の巻付け領域と反対の長手方向外側に前記バンド基材から前記台紙の一部を露出した部分を含む第２の巻付け領域と、を有し、前記第１の巻付け領域に第１の貼合わせ位置ガイドが設けられ、前記第２の巻付け領域の前記台紙の前記一部が露出した部分に第２の貼合わせ位置ガイドが設けられる、リストバンドが提供される。
【手続補正５】
【補正対象書類名】明細書
【補正対象項目名】００３０
【補正方法】変更
【補正の内容】
【００３０】
上記態様によれば、手首や足首などの被巻付け部にリストバンドを容易に巻き付けることができる。